(57)【要約】【課題】  配管を切断することなく配管途中より支管を分岐させる配管分岐装置を提供する。【解決手段】  配管１に横方向から嵌合できるように湾曲形成したバンド部４に、支管接続用筒部５を一体に取り付けてなる分岐装置本体３を構成する。分岐装置本体３のバンド部４の一端部に端縁部を外側へ折り曲げた引掛け部６を設け、バンド部４の他端部に、ボルト挿通用孔１１を有する締付部７を設ける。上記引掛け部６に引掛けるフック部９を一端部に有する締付板８の他端部に、ボルト挿通用孔１１を有する締付部１０を設ける。分岐装置本体３を配管１に嵌合させて、支管接続用筒部５を配管１の分岐用孔１５に合わせた後、フック部９を引掛け部６に掛けた締付板８をバンド部４に締め付けるようにする。【選択図】図１
0003106372.tif 000002
【実用新案登録請求の範囲】
【請求項１】
一端部に引掛け部を有すると共に他端部に締付部を有するバンド部の所要位置に、支管接続用筒部を設けて、バンド部を配管に沿わせるようにした分岐装置本体と、一端部に上記バンド部の引掛け部に係止できるフック部を有すると共に他端部に締付部を有する締付板とからなり、配管に穿設した分岐用孔に、該配管に沿わせた分岐装置本体の支管接続用筒部を連通させて、バンド部の締付部と締付板の締付部とを締め付けることにより配管に固定できるようにした構成を有することを特徴とする配管分岐装置。
【請求項２】
バンド部と支管接続用筒部からなる分岐装置本体を一体成形品として、バンド部を配管に横方向から嵌合できる半円筒形状とした請求項１記載の配管分岐装置。
【請求項３】
バンド部の内面における支管接続用筒部の開口部に、配管の分岐用孔に係止できるストッパー片を設けて、支管接続用筒部と上記分岐用孔との位置決めを行わせるようにした請求項１又は２記載の配管分岐装置。
【考案の詳細な説明】
【技術分野】
【０００１】
本考案は、たとえば、戸建住宅や集合住宅等の建物に設置されている上水道管の如き既設の配管から新たな水回り施設へ導く配管を分岐させる場合に用いる配管分岐装置に関するものである。
【背景技術】
【０００２】
建物の内外において、新たにトイレ、洗面所等の如き水回り施設を設ける場合には、該施設への配管が必要になる。建物の新築の場合には、予め所定の水回り施設へは設計どおりに本管より適宜分岐されて配管されているが、建物の建設後に新たに水回り施設を設ける場合には、既設の配管途中より分岐させる必要がある。
【０００３】
従来、かかる配管途中より配管を分岐させる場合は、既設配管の所定位置の途中を切断して、該切断部に配管分岐装置を介在させて新たに配管を分岐させる方式が一般的に採られている。
【０００４】
図４はその一例を示すもので、既設の配管の途中に接続するようにした筒状の本体部ｂと該本体部ｂの途中に直角方向に突出するように一体成形した筒部ｃとからなるＴ字形の継手部ａを製作し、一方、支管を分岐させるべき既設配管の位置に、上記継手部ａの本体部ｂを組み込む寸法分切除した後、該既設配管の切断した端部間に上記Ｔ字形の継手部ａの本体部ｂを同一軸心状に介在させるようにし、既設配管の各端部に接続できるようにしてある接続用金具を用いた管継手手段ｄにて上記Ｔ字形継手部ａを接続することにより既設配管とＴ字形の継手部ａとを一体とするようにし、且つ筒部ｃに支管ｅを接続するようにしたものが提案されている（たとえば、特許文献１参照）。
【０００５】
又、既設配管に支管を取り付けて分岐構造とする別の例としては、図５に示す如く、既設の配管としての下水道本管ｆの途中位置に支管取付用孔ｇを設けて、該支管取付用孔ｇにロックパイプｈの下端部を外側から嵌装させると共に、下水道本管ｆに嵌合できるようにした曲面部ｉと、該曲面部ｉに固定されて上記ロックパイプｈの外周面の一部とほぼ合致する内周面を有する半割構造の締付部ｊとからなるハウジング部ｋを有し、該ハウジング部ｋの締付部ｊを、ロックパイプｈの外側に配置して、半割りの締付部ｊの各上端部をロックパイプｈにピンｌにて枢着させ、更に、ロックパイプｈの頂面に支管ｍを合わせ、固定用キャップｎにて支管ｍを固定して接続するようにしたものも提案されている（たとえば、特許文献２参照）。
【０００６】
更に、別の例として、図６に示す如く、外周部に雄ねじ部ｐを形成し且つ一端部に外方へ突設された平面形状が略長円形の突片ｑを備えている分岐管ｏを用意し、配管ｒの途中位置に設けた異径孔ｓに、上記分岐管ｏの突片ｑを外方から差し込んで回転させることにより突片ｑを異径孔ｓに係止させ、次いで、分岐管ｏの外側に、パッキン材ｔと座金ｕを順に嵌合させた後、ナットｖ，ｗを、分岐管ｏの雄ねじ部ｐに螺合して締め付けることにより、配管ｒに分岐管ｏを取り付けるようにしたものも提案されている（たとえば、特許文献３参照）。
【０００７】
【特許文献１】特開２００３−８３４９２号公報
【特許文献２】特開平５−６５９８９号公報
【特許文献３】特開平５−３０５１５１号公報
【考案の開示】
【考案が解決しようとする課題】
【０００８】
ところが、特許文献１に記載されているものは、Ｔ字形の継手部ａを既設の配管の途中に組み込んで支管を分岐させるようにするものであるため、既設の配管を途中位置で切断しなければならないと共に、切断した配管の間に継手部ａを組み込まなければならないために、支管を分岐させるまでに多くの手数を必要とする問題がある。又、場所が狭いところでは、かかる作業を行うことができない場合もある。更に、既設の配管の途中を切断した場合に、配管の設置状態によっては切断部が大きく離れてしまい、切断端部同士の位置合わせに多大な労力を必要とすることがあるばかりでなく、切断することにより配管の強度が低下する問題がある。
【０００９】
又、特許文献２に記載されたものは、既設配管としての下水道本管に支管を分岐接続させるもので、該下水道本管の途中を切断する必要性をなくしたものであるが、下水道本管に穿設した支管取付用孔ｇに、ロックパイプｈの一端部を外側から挿入して取り付け、更に、ロックパイプｈの外側に、ハウジング部ｋの締付部ｊの頂部をピンｌにより枢着した後、該締付部ｊを固定用キャップｎで固定することによりロックパイプｈの頂部に支管ｍを接続するようにしてある。そのため、支管ｍを接続するのに多くの部材を必要とする問題がある。
【００１０】
更に、特許文献３に記載されたものも、既設の配管の途中を切断することなく支管を分岐することができるものであるが、配管ｒに設けた異径孔ｓに分岐管ｏの端部の突片ｑを外側から差し込んで９０度回転させることにより係止させてから、分岐管ｏに、パッキン材ｔ、座金ｕを嵌合させて、ナットｖ，ｗで締め付け固定するものであるため、多くの手段を必要とすると共に、多くの部品を必要とする、という問題がある。
【００１１】
そこで、本考案は、既設の配管を切断することなく、且つ少ない部品数で簡単、確実に配管に装着できて支管を分岐できるようにした配管分岐装置を提供しようとするものである。
【課題を解決するための手段】
【００１２】
本考案は、上記課題を解決するために、一端部に引掛け部を有すると共に他端部に締付部を有するバンド部の所要位置に、支管接続用筒部を設けて、バンド部を配管に沿わせるようにした分岐装置本体と、一端部に上記バンド部の引掛け部に係止できるフック部を有すると共に他端部に締付部を有する締付板とからなり、配管に穿設した分岐用孔に、該配管に沿わせた分岐装置本体の支管接続用筒部を連通させて、バンド部の締付部と締付板の締付部とを締め付けることにより配管に固定できるようにした構成とする。
【００１３】
又、上記構成において、バンド部と支管接続用筒部からなる分岐装置本体を一体成形品として、バンド部を配管に横方向から嵌合できる半円筒形状とし、更に、バンド部の内面における支管接続用筒部の開口部に、配管の分岐用孔に係止できるストッパー片を設けて、支管接続用筒部と上記分岐用孔との位置決めを行わせるようにした構成とする。
【考案の効果】
【００１４】
本考案の配管分岐装置によれば、既設配管の途中に支管を分岐させようとする部分に分岐用孔を設けられると、分岐装置本体のバンド部を配管に横方向から沿わせて、上記分岐用孔に支管接続用筒体を連通させ、この状態でバンド部の引掛け部にフック部を係止させた締付板を配管に沿わせると、バンド部と締付板の各締付部同士をボルトとナットで締め付けることにより、簡単に且つ確実に配管に装着することができ、支管接続用筒部に支管を接続することにより配管途中より容易に分岐させることができる。又、配管に沿わされるようにしてあるバンド部と、別体としての締付板との間で配管を挟持させるようにするので、配管の分岐用孔にパイプを挿入する方式に比して、配管への装着を確実に行わせることができてシール性の高いものとすることができる。更に、バンド部の一端部の引掛け部と他端部の締付部との間の開口部を１８０度以下の角度範囲として、配管に横方向から嵌合できるようにすることにより、剛性を利用して配管に装着することができて、密着性、シール性の向上が図れる。
【００１５】
更に、分岐装置本体を一体成形品とすることにより、支管接続用筒部付きのバンド部を容易に製作することができる。
【００１６】
更に又、バンド部の内側に、配管の分岐用孔に係止できるストッパー片を設けることにより、バンド部と締付板を配管に装着するときに、上記ストッパー片を配管の分岐用孔に挿入して係止させておくことができ、これにより配管の分岐用孔と支管接続用筒部の位置決めを行うことができると共に、分岐装置本体と締付板を締め付けるときも位置がずれたりすることを未然に防止することが可能となる。
【考案を実施するための最良の形態】
【００１７】
以下、図面に基づき本考案を実施するための最良の形態を説明する。
【００１８】
図１（イ）（ロ）（ハ）、図２は本考案の実施の一形態を示すもので、一般住宅の上水道用として建物の中に設置されている上水道本管の如き既設の配管１の途中に本考案の配管分岐装置Ｉを取り付け、本考案の配管分岐装置Ｉに支管２を接続して配管１より支管２を分岐させるようにする。
【００１９】
本考案の配管分岐装置Ｉは、上記配管１に横方向から嵌合できるように配管１の外径に合わせた曲面に湾曲形成させて所要幅の半円筒形状としたバンド部４と、該バンド部４の周方向の一端側の外表面に外向きに突出させて固定した支管接続用筒部５とからなり、バンド部４の周方向の一端部に引掛け部６を、又、周方向の他端部に締付部７をそれぞれ形成した分岐装置本体３と、該分岐装置本体３の上記引掛け部６に引掛けるフック部９を一端部に有し且つ他端部に上記分岐装置本体３の締付部７に対応する締付部１０を有して、上記配管１に沿わされるように他端側が湾曲形成されるようにしてある締付板８とから構成されている。
【００２０】
上記分岐装置本体３におけるバンド部４と支管接続用筒部５は一体構造としてあり、該支管接続用筒部５は外周面に雄ねじ５ａが刻設してあり、支管２の端部に取り付けられた接続金具２ａ（図２参照）を螺着できるようにしてある。又、上記支管接続用筒部５の内部は、バンド部４の内側へ連通するように貫通させられており、後述する配管１に穿設した分岐用孔１５と連通させられるようにしてある。更に、バンド部４の他端部に形成された締付部７には、ボルト挿通用の孔１１が設けてある。
【００２１】
上記分岐装置本体３は、鋳物の一体成形品とし、バンド部４は配管１への装着締付時に十分な強度を有するように支管接続用筒部５の突設部周辺や湾曲部に適宜凹凸を形成した補強部１２が設けてある。
【００２２】
一方、上記締付板８は、剛性を有する金属製の板を屈曲形成した構成としてあり、他端部の締付部１０には、バンド部４の締付部７に対応させてボルト挿通用孔１１が設けてあり、一端側のフック部９を、バンド部４の引掛け部６に引掛けて締付部７，１０同士をボルト１３、ナット１４で締め付けることにより配管１の途中に固定できるようにしてある。
【００２３】
なお、上記分岐装置本体３のバンド部４は半円筒形状としてあるが、一端部の引掛け部６と他端部の締付部７との間の開口部は１８０度以下の角度範囲とするようにする。又、本考案の配管分岐装置は、既設配管１の途中に支管を接続して分岐する場合に、配管１には口径の異なるものがあり、かかる口径の異なる配管１に応じて径の異なる分岐用孔１５を穿設するようにすることから、外径の異なる配管１と該配管１に穿設する分岐用孔１５に対応できるように、内径の異なるバンド部４と内径の異なる支管接続用筒部５とからなる複数組の分岐装置本体３を予め用意しておくようにすると共に、各分岐装置本体３に対応する締付板８を複数用意しておくようにし、対象とする配管１の口径に応じて、それに適合する内径のバンド部４を有する分岐装置本体３と、これに対応する締付板８を選んで使用するようにする。因に、配管１の口径が４０ｍｍの場合は、分岐用孔１５の径を２５ｍｍとして、これに対応する分岐装置本体３と締付板８を用いるようにする。なお、本考案の配管分岐装置における分岐装置本体３のバンド部４の厚みｔ１は３〜４ｍｍ程度、引掛け部６の高さｈ１は７ｍｍ程度、締付部７，１０の張出し長さｌ１は８ｍｍ程度、締付部７，１０の厚みｔ２は５ｍｍ程度としてある。
【００２４】
図中、１６は配管１に穿設した分岐用孔１５と支管接続用筒部５との間に介在させてシールするため、バンド部４の裏面の支管接続用筒部５周辺部に取り付けてあるパッキングである。
【００２５】
新たに設けられる水回り施設へ配管を必要とする場合は、既設の配管１に分岐用孔１５を穿設した後、本考案の配管分岐装置Ｉを用いて支管２を分岐用孔１５に連通させて分岐させるようにする。この場合は、穿設された分岐用孔１５に分岐装置本体３の支管接続用筒部５を位置させるように、バンド部４を横方向から配管１に嵌合させて、支管接続用筒部５の軸心を配管１に設けた分岐用孔１５の中心に合致させるように位置合わせをする。次いで、バンド部４の一端側の引掛け部６に、別体として製作されている締付板８の一端側のフック部９を上方から引掛けて、該締付板８を配管１に沿わせるようにする。これによりバンド部４と締付板８により簡単に配管１を挟持させることができる。次に、上記バンド部４の他端側の締付部７と上記締付板８の他端側の締付部１０にそれぞれ形成してあるボルト挿通用孔１１，１１にボルト１３を通し、該ボルト１３にナット１４を螺合させて締め付けることにより、上記両締付部７と１０を接近させて締付力を加えることができ、バンド部４と締付板８により本考案の配管分岐装置Ｉを配管１に固定させる。この際、分岐装置本体３におけるバンド部４の一端部の引掛け部６と他端部の締付部７との間に形成されている開口部を、１８０度以下の角度範囲としておくことにより、バンド部４の剛性を利用して配管１に横方向から嵌合させたときに、配管１に装着できて、該配管１に保持させることができると共に配管１とバンド部４の密着性を向上させることができ、又、支管接続用筒部５の内端と配管１の分岐用孔１５部分とのシール性を向上させることが可能となる。
【００２６】
このようにして配管１の途中に本考案の配管分岐装置Ｉが装着されると、支管接続用筒部５の雄ねじ５ａに接続金具２ａのナット部を螺合させるようにし、該接続金具２ａを介して支管２を接続して分岐させるようにする。
【００２７】
次に、図３は本考案の実施の他の形態を示すもので、分岐装置本体３の支管接続用筒部５の下端部、すなわち、該支管接続用筒部５とバンド部４の境界部近傍位置における内側に、配管１に設けた分岐用孔１５の内周面に沿い挿入されるようにしたストッパー片１７を、たとえば、周方向の４個所に下向きに突設したものであり、その他の構成は図１に示したものと同様であり、同一のものには同一符号が付してある。
【００２８】
この実施の形態によれば、分岐装置本体３を配管１に横方向から嵌合させるときに、各ストッパー片１７を配管１の分岐用孔１５に沿わせて挿入させた状態でバンド部４を配管１に嵌合させることにより、直ちに分岐用孔１５と支管接続用筒部５との位置決めを行うことができ、バンド部４を配管１に嵌合した後に配管１の分岐用孔１５と支管接続用筒部５との位置合わせを行うことなく、直ちに引掛け部６に締付板８のフック部９を引掛けてバンド部４と締付板８との締め付けを行うことができて、作業の迅速化を図ることができると共に、バンド部４と締付板８の締め付け時や、締め付け後に分岐装置本体３が、配管１の長手方向や周方向にずれることがなくなることから、作業の確実性を向上させることができる。
【００２９】
なお、上記ストッパー片１７は、周方向に４つ設けた場合を示したが、配管１に設けた分岐用孔１５に挿入されて位置が移動できないようになるものであれば、ストッパー片はリング状のものであってもよく、又、周方向に不連続の状態で４個所以外に設けるようにしてもよいことは勿論である。分岐装置本体３は鋳物の一体成形品とした場合を示したが、これに限られるものではなく、バンド部４と支管接続用筒部５が一体構造であれば溶接によるものでもよい。
【００３０】
又、本考案の配管分岐装置は、上水道管に支管を分岐させる場合について例示したが、上水用の配管設備に適用する場合に限らず、排水配管設備に適用したり、下水道本管に適用することもできること、その他本考案の要旨を変更しない範囲内で種々変更を加え得ることは勿論である。
【図面の簡単な説明】
【００３１】
【図１】本考案の配管分岐装置の実施の一形態を示すもので、（イ）は配管に装置した状態を示す側面図、（ロ）は（イ）の平面図、（ハ）は（ロ）のＡ−Ａ矢視断面図、（ニ）は分岐装置本体に締付板を係止させる前の分離されている状態の斜視図である。
【図２】本考案の配管分岐装置を用いて配管に支管を分岐させた状態を示す概略図である。
【図３】本考案の配管分岐装置の実施の他の形態の概要を示す断面図である。
【図４】従来の配管分岐方式の一例を示す斜視図である。
【図５】従来の配管分岐方式の別の例を示す斜視図である。
【図６】従来の配管分岐方式の更に別の例を示す一部切断側面図である。
【符号の説明】
【００３２】
Ｉ  本考案の配管分岐装置
１  配管
２  支管
３  分岐装置本体
４  バンド部
５  支管接続用筒部
６  引掛け部
７  締付部
８  締付板
９  フック部
１０  締付部
１５  分岐用孔
１７  ストッパー片
【図１】
0003106372.tif 000003
【図２】
0003106372.tif 000004
【図３】
0003106372.tif 000005
【図４】
0003106372.tif 000006
【図５】
0003106372.tif 000007
【図６】
0003106372.tif 000008